(57)【特許請求の範囲】
【請求項１】
傾斜した駆動軸に取付けられた駆動体と、駆動体の周辺部付近に円周上に沿って等間隔に取付けられたポンプ室を構成するダイヤフラム本体と、弁を介して各ポンプ室に夫々通ずる吸気孔と、複数のポンプ室の中央に設けられた弁を介して各ポンプ室に通ずる共通の吐出孔とを備えている小型ポンプに用いられる上記のダイヤフラム本体であって、前記ダイヤフラム本体の駆動体へ取付けられる駆動部がその駆動体への取付部分が前記駆動体の表面と接触する平面部分を有し、前記平面部分から外周へ向け駆動体より離れる方向に傾斜させた形状をなすことを特徴とした小型ポンプ用ダイヤフラム本体。
【発明の詳細な説明】
【０００１】
【産業上の利用分野】
本発明は、小型ポンプ等で用いられるダイヤフラム本体特にその駆動部の改良に関するものである。
【０００２】
【従来の技術】
第３図，第４図は夫々従来の小型ダイヤフラムポンプの概要およびそのダイヤフラム本体を示す図である。これら図において１は小型直流モーター、２はモーター１の出力軸、３はモーター１に取付けられたケース、４は出力軸２に固定されたカラー、５はカラー４に傾け取付けられた駆動軸、６は筒状の支持部７を有する駆動体で支持部７に駆動軸５を挿入することにより駆動軸５に取付けられている。１０は軟らかいゴムからなるダイヤフラム本体で、つり鐘状のダイヤフラム部１１とこのダイヤフラム部１１に形成された駆動部１２とからなっており、駆動部１２の先端は駆動体に固定されてる。１３はダイヤフラム部１１の中央より上方に伸びている円筒状をした吐出弁の弁体部でケース１に取付けられたケースの蓋体１５の中央より上方に伸びている弁室部１４内に密着されている。１６は弁室部１４の先端に設けられた出口である。又１７は弁１８を有する吸気孔で、夫々のつり鐘状のダイヤフラム部１１に対応する位置にダイヤフラム部の数だけ設けられている。
【０００３】
このような小型ポンプは、小型直流モーター１の駆動によって出力軸２を介してカラー４を回軸させることによって駆動軸５にすりこぎ状の運動をさせる。この駆動軸５のすりこぎ状の運動により支持部７を介して駆動体６をその傾斜面が順次変化する運動を行なわせる。例えば図面において右上りの傾斜が左上りの傾斜に向け変化し更に左上りの傾斜が右上りの傾斜へと変化するように順次変化する。これによって右側のつり鐘状のダイヤフラム部は駆動部１２が下降し又左側のつり鐘状のダイヤフラム部は駆動部１２が上昇する。このように各ダイヤフラム部は駆動部が上下動する。この各ダイヤフラム部における駆動部の上下動は夫々位相がずれた状態にて行なわれる。
【０００４】
このようにダイヤフラム部の運動によって、吸気孔１７を通して外部の空気を吸引し、弁１３を通して弁室部１４へ送り込み、出口１６より送り出す働きをする。即ちポンプとして作用する。
【０００５】
【発明が解決しようとする課題】
前記の従来の小型ポンプに用いられるダイヤフラム本体１０は、駆動部１２が、図４に示すような形状であって、点Ａの個所で駆動体６と点接触する構造になっている。そのため、モーター１の回転による駆動軸５のすりこぎ運動による駆動部１２の上下動の際に駆動部１２が傾斜する。特に図３の右側のダイヤフラム本体のようにダイヤフラム圧縮時に求心力（複数配置されたダイヤフラム本体間の中央方向への力）にたいして、出力軸２の延長線方向とは反対側の外側（ケース３の壁面側）へ傾斜し、良好なポンプ作用が行なわれず又ダイヤフラム部１１同士擦れ合い耐久性上好ましくない。
【０００６】
本発明は、上記のような構成の小型ポンプで用いられるダイヤフラム本体であって、ポンプ作動中に駆動部が外側へ傾斜しないような形状にしてポンプの性能や耐久性の向上をはかったダイヤフラム本体を提供することにある。
【０００７】
【課題を解決するための手段】
本発明の小型ポンプ用ダイヤフラム本体は、傾斜した駆動軸に取付けられた駆動体と、駆動体の周辺付近にて円周上に等間隔に取付けられたポンプ室を構成するダイヤフラム本体と、各ポンプ室に夫々設けられた弁を有する吸気孔と、複数のポンプ室の中央に設けられ弁を介して各ポンプ室に通ずる共通の吐出孔とを有し、駆動体のすりこぎ状の運動により各ダイヤフラム本体の駆動部を所定の位相差をつけて上下動させて吸入口よりの吸入と吐出口よりの吐出を行なうようにしたポンプに用いられるもので、各ダイヤフラム本体の駆動部の駆動体への取付部が少なくとも一部分駆動体表面に接触する平面を有する形状としたものである。
【０００８】
本発明のダイヤフラム本体は、駆動部の取付部に平面を有することにより、これを前述のような構成の小型ポンプに用いる時、駆動中に駆動部が傾斜するのを防止し得て、これにより良好なポンプ作用を行ない得ると共にダイヤフラム本体の耐久性を向上させ得る。
【０００９】
【実施例】
次に本発明の小型ポンプに用いられるダイヤフラム本体の実施例を図面にもとづいて説明する。
【００１０】
図１は本発明のダイヤフラム本体を用いた小型ポンプの構成を示す図、図２は本発明のダイヤフラム本体の断面図である。
【００１１】
図１において、１は小型直流モーター、２はモーター２の出力軸、３はモーター１に取付けられたケース、４は出力軸２に固定されたカラー、５はカラー４に傾斜させて固定されている駆動軸、６は筒状の支持部７を有した駆動体、１０はダイヤフラム本体である。このダイヤフラム本体１０はダイヤフラム部１１と駆動部１２とよりなり、複数のダイヤフラム本体１０がその駆動部１２を駆動体６の周辺部分の近くに円周上に等間隔に取付けられ配置されている。１３は弁体部、１４は弁室部、１５は蓋体、１６は吐出孔、１７は吸気孔、１８は弁である。これら小型ポンプの構成並びに動作は、ダイヤフラム本体１０の形状を除いては、図３に示す小型ポンプと実質上同じである。
【００１２】
図２は本発明のダイヤフラム本体の断面図で、図４の従来例と同様にダイヤフラム部１１と駆動部１２とよりなっている。しかしこの図２に示す実施例においては、駆動部１２の駆動体６への取付部分つまり駆動部１２の下方部分に平面Ｂを形成したことを特徴としている。そしてこの平面部Ｂを形成することにより駆動体６の表面（上面）６ａとこの平面部Ｂの少なくとも一部が接触するように駆動部１２を構成したことを特徴としている。
【００１３】
この実施例は、前記のように駆動部１２に平面部Ｂを設けこの平面部Ｂの少なくとも一部と駆動体６の表面６ａとが常に接触することにより、ポンプ運動によるダイヤフラム本体１０の上下動に際し、駆動部１２が傾斜することなく、そのため良好なポンプ作用が行なわれると共にダイヤフラムがこすれることがなく、又駆動部１２の駆動体６への取付部分に不自然な力が加わることもないためにダイヤフラム本体の耐久性が大幅に向上する。
【００１４】
【発明の効果】
本発明のダイヤフラム本体は、その駆動部に平面部分を設けることにより、ポンプ作用の改善と耐久性の向上を図ることができた。
【図面の簡単な説明】
【図１】本発明のダイヤフラム本体を用いた小型ポンプの構成を示す図
【図２】本発明のダイヤフラム本体の断面図
【図３】従来の小型ポンプの構成を示す図
【図４】従来のダイヤフラム本体の構成を示す図
【符号の説明】
１０    ダイヤフラム本体
１１    ダイヤフラム部
１２    駆動部
【図１】
0003560002.tif 000002
【図２】
0003560002.tif 000003
【図３】
0003560002.tif 000004
【図４】
0003560002.tif 000005